(57)【要約】【課題】  生地が主に紫外線によって劣化した場合に適切な表示を行うことによって、交換時期を使用者に知らしめることができる収納袋を開示する。【解決手段】  少なくとも周壁からなる袋本体と、この周壁の底部と、吊り下げ用のベルトからなる穀物などの収納袋であって、袋本体には紫外線などに対する耐候性が高い染料または顔料からなる印刷部と、この印刷部に重畳して前記染料または顔料より耐候性が低い染料または顔料からなる遮蔽部とからなる指標部を設けた。従って、紫外線などの外部条件による袋の劣化を印刷部に示された指標として利用者に認識させることができる。なお、指標部は、袋本体の縦方向に複数本設け、あるいは袋本体の周方向に設けた。指標部は、裏面に粘着部を有するテープに印刷した印刷部と、この印刷部に重畳して設けられた遮蔽部からなる。【選択図】          図１
2005126110.tif 000002
【特許請求の範囲】
【請求項１】
少なくとも周壁からなる袋本体と、この周壁の底部と、吊り下げ用のベルトからなる穀物などの収納袋であって、袋本体には耐候性が高い染料または顔料からなる印刷部と、この印刷部に重畳して前記染料または顔料より耐候性が低い染料または顔料からなる遮蔽部とからなる指標部を設けたことを特徴とする穀物などの収納袋。
【請求項２】
指標部は、袋本体の縦方向に複数本設けた請求項１記載の穀物などの収納袋。
【請求項３】
指標部は、袋本体の周方向に設けた請求項１記載の穀物などの収納袋。
【請求項４】
指標部は、裏面に粘着部を有するテープに印刷した印刷部と、この印刷部に重畳して設けられた遮蔽部からなる請求項１記載の穀物などの収納袋。
【請求項５】
耐候性は、耐紫外線性である請求項１記載の穀物などの収納袋。
【発明の詳細な説明】
【技術分野】
【０００１】
本発明は、収穫した穀物などを収納して、袋のままで保管するために利用するものである。
【背景技術】
【０００２】
従来から、米などの穀物を収穫すれば搬送や保管のために収納袋にいれることは普通に行われている。たとえば、次の特許文献１に示されたような収納袋は一般的に利用されている。
【０００３】
【特許文献１】実開昭５６−４０９８３号公報
【発明の開示】
【発明が解決しようとする課題】
【０００４】
ところで、収納袋本体は、通気性を確保するために近年では合成樹脂テープなどを編んだメッシュ袋が利用されることが通常であるが、穀物を収納した状態で長期間蛍光灯や太陽光に暴露されれば、経年劣化とともに紫外線によって生地が著しく劣化してしまい、当初の強度を保証することができなくなる。そこで実際には製造者は１回使用保証などを提唱することによって生地の強度劣化による事故を未然に防ぐようにしているが、農家のコストダウンのために繰り返し何度も使用されるのが実情である。しかしながら、このように何度も使用すれば耐久時期を判断することがより困難になり、結局のところ収納した穀物が生地の破裂によって失われてしまうことがあった。特に、収納袋として利用されている袋では大きいものは数百キログラムもの収容力があるので、袋が破断すればクレーンなどを操作している者にとって危険が生じることがあるので、このような事故は未然に避けなければならない。
【０００５】
一方、袋生地の劣化は引っ張り検査などによって確認することができるが、破壊してしまえば再利用ができないので、非破壊で容易に劣化状態が確認できることが好ましい。
【０００６】
本発明では、このような従来の課題を解決しようとするもので、生地が主に紫外線によって劣化した場合に適切な表示を行うことによって、交換時期を使用者に知らしめることができる収納袋を開示することを目的とする。
【課題を解決するための手段】
【０００７】
本発明では、上述した目的を達成するために、少なくとも周壁からなる袋本体と、この周壁の底部と、吊り下げ用のベルトからなる穀物などの収納袋であって、袋本体には耐候性が高い染料または顔料からなる印刷部と、この印刷部に重畳して前記染料または顔料より耐候性が低い染料または顔料からなる遮蔽部とからなる指標部を設けるという手段を用いた。この手段では、遮蔽部は印刷部よりも耐候性が低いので、たとえば紫外線を含む日光に長時間暴露された場合には遮蔽部が先に劣化し、印刷部に表示された指標が遮蔽部の剥離によって、あるいは遮蔽部を透過して認識されることになる。遮蔽部の紫外線に対する耐久時間を予め設定することによって、印刷部に記載された指標が認識されるまでの時間を任意に決定することになる。
【０００８】
また、指標部を袋本体の縦方向に複数本設ける手段、あるいは指標部を袋本体の周方向に設ける手段では、袋の方向を気にすることなく使用できる。
【０００９】
さらに、指標部の構成として裏面に粘着部を有するテープに印刷した印刷部と、この印刷部に重畳して設けられた遮蔽部からなる手段を採用する。この手段では、印刷部を直接袋に設ける必要がなく、印刷部と遮蔽部を一体としたテープ状に構成される。
【発明の効果】
【００１０】
本発明では、上述した手段を用いたので、内容物を収納して袋を保管する場合、あるいは袋を繰り返し使用する場合であっても、紫外線などの外部条件による袋の劣化を印刷部に示された指標として利用者に認識させることができ、袋素材が知らない間に劣化することによる破断などの事故を未然に防止することができるようになる。また、指標部を請求項４に示す構成とすれば、収納袋とは別に指標部だけを製造することができ、印刷部の裏面の粘着部を介して袋に貼付するだけで本発明の袋を完成することができる。したがって、量産により資する構成とすることが可能となる。
【発明を実施するための最良の形態】
【００１１】
以下、本発明を実現するための好ましい実施形態を説明する。図１は本発明の穀物などの収納袋を斜視図として示したもので、１はメッシュ地などで構成された円筒状の袋本体、２は袋底、３は袋本体１の上側開口に沿ってファスナー４で開閉自在とした蓋体である。袋底２には内容物を排出するための排出口５が設けられており、紐６で排出口５を閉止して穀物を収納する。７は搬送時にクレーンのフックなどに吊り下げるための一対のベルトである。なお、説明した収納袋の基本的構造は公知である。
【００１２】
次に、１０は劣化指標として機能する指標部であり、本発明の重要な構成を占めるものである。具体的に説明すると、図２に示したように、指標部１０は耐候性に強く、特に耐紫外線効果が高い顔料、あるいは染料で表示された耐性印刷部１１と、この耐性印刷部１１の上に重畳して印刷、あるいは塗布された耐候性が弱く、耐紫外線効果が低い顔料からなる遮蔽部１２によって構成されている。これらの印刷部１１と遮蔽部１２との関係は、印刷部１１は耐候性が高いので紫外線に暴露された場合でも印刷に用いられている顔料あるいは染料が退光することはないが、遮蔽部１２に用いられている顔料は紫外線に暴露された場合には比較的容易に影響を受け、たとえばぼろぼろと剥離する。そうすると、遮蔽部１２が剥離することによって下地の印刷部１１が露出することになる。そして、印刷部１１の指標として、「交換時期です。」などという警告文を印刷しておけば、利用者にとって時期を判断する指標となる。なお、印刷部１１に用いる顔料、あるいは染料は耐候性および耐紫外線性が高ければ高いほど好ましい。遮蔽部１２で用いる顔料は、紫外線に暴露される前は非透過性または不透明で印刷部１１の内容が透過して見えることがない必要がある。一方、紫外線に暴露された場合には変質して剥離したり透過性を有するものである必要があるが、どれくらいの程度で変質する必要があるかという点については、適用される袋の使用限度に応じて設定されることになる。重要なことは、印刷部１１については紫外線や外部雰囲気によって容易に消えたり退光しないことであり、遮蔽部１２については予め設定された紫外線暴露量によって下地の印刷部１１の指標が確認できるようになることである。
【００１３】
指標部１０は、上記実施形態では印刷部１０を直接袋本体に印刷し、遮蔽部１２を印刷部１１に重畳して印刷するようにしているが、別の実施形態として、印刷部１０は袋に直接印刷するが、遮蔽部１２は透明テープに塗布あるいは印刷し、これを印刷部１１の上から貼付するものであってもよい。さらに別の実施形態として、印刷部１１も裏面に粘着部を有する布テープの表面に指標を印刷し、これに重畳して遮蔽部１２を貼付したり、印刷部１１に直接塗布する構成であっても本発明の目的を達成することは可能である。
【００１４】
指標部１０を設ける場所としては、実施形態に示したように袋本体１の円筒の縦方向に沿って１箇所あるいは複数箇所に適用される。複数箇所に適用した場合には、紫外線が照射される方向を気にすることなく収納袋を取り扱うことができる。また、円筒の縦方向ではなく、円周方向に１本あるいは複数本を適用することもある。このようにすれば、全周方向からの紫外線に対応することができる。より精度を求めるのであれば、一番大きい力が加えられるベルト７に指標部１０を設けてもよい。
【００１５】
なお、この実施形態では収納袋として穀物を想定して説明しているが、内容物は穀物に限られるものではなく、紫外線によって袋が劣化することによる破断が引き起こす危険を回避することを目的とするものであるならば、砂や土、あるいは比重の高い粒体を保管するために用いる袋には全て適用することができる。
【産業上の利用可能性】
【００１６】
本発明は、紫外線に暴露されることによって組成が劣化した素材を継続して用いることによる危険を避けるための有効な指標として機能するものであるから、重量物を収容する袋であり紫外線に暴露されることが避けられないものについて、極めて有用な構成を提供する。
【図面の簡単な説明】
【００１７】
【図１】本発明を適用した穀物収納袋の一例を示す斜視図
【図２】本発明の要部である指標部を示す斜視図
【符号の説明】
【００１８】
１      袋本体
２      袋底
３      蓋体
４      ファスナー
５      排出口
６      紐
７      ベルト
【図１】
2005126110.tif 000003
【図２】
2005126110.tif 000004